(57)【要約】      （修正有）【課題】長年経過しても担架として迅速に利用でき、コンパクトにして狭い収納スペースにもより多くのテーブルを収納できるようにすること。【解決手段】天板（１）の四隅に脚を有するテーブルであって、テーブル姿勢と収納姿勢と担架姿勢との三姿勢に変更可能にしてあるとともに、前記三姿勢それぞれの姿勢を解除可能に規制する姿勢規制構造が設けられており、当該構造において、規制解除時に取外し、規制時に取り付ける部品が三姿勢共通となるように構成され、前記脚は前記天板又はその補強材に兆番を介して一体連結され、前記三姿勢それぞれにおける脚の基部が抜き挿しできる差込口を有するソケットが天板に固定され、前記姿勢規制構造が前記脚又はこれと一体化された部品の内、三姿勢の変化に伴い互いに間隔が変化する２箇所以上をそれぞれの姿勢において連結する規制梁（７）と連結状態を解除可能に維持する三姿勢共通の連結具とにより構成されている。【選択図】図１
2019055166.tif 000002
【特許請求の範囲】
【請求項１】
天板の四隅に脚を有するテーブルであって、前記脚が起立したテーブル姿勢と、内側に折り畳まれ天板下に収納された収納姿勢と、天板の外側に向かって折り畳まれ、前記天板の外側に握り持ち可能な長さが突出した担架姿勢との三姿勢に脚の天板に対する姿勢を変更可能にしてあるとともに、前記三姿勢それぞれの姿勢を解除可能に規制する姿勢規制構造が設けられており、当該構造において、規制解除時に取外し、規制時に取り付ける部品が三姿勢共通となるように構成されていることを特徴とするテーブル。
【請求項２】
請求項１に記載のテーブルにおいて、前記脚は、前記三姿勢に変更可能に前記天板又はその補強材に兆番を介して一体連結されていることを特徴とするテーブル。
【請求項３】
請求項１に記載のテーブルにおいて、前記三姿勢それぞれにおける脚の基部が抜き挿しできる差込口を有するソケットが天板に固定されていることを特徴とするテーブル。
【請求項４】
請求項１から３のいずれかに記載のテーブルにおいて、前記姿勢規制構造が、前記脚又はこれと一体化された部品の内、三姿勢の変化に伴い互いに間隔が変化する２箇所以上をそれぞれの姿勢において連結する規制梁と連結状態を解除可能に維持する三姿勢共通の連結具とにより構成されていることを特徴とするテーブル。
【発明の詳細な説明】
【技術分野】
【０００１】  本発明は、少なくとも天板の四隅に脚を有するテーブルに関する。
【背景技術】
【０００２】  従来より、震災などの非常時に重宝される担架を公共機関などに装備することが勧められているが、長年に渡り使用せずに倉庫などに収納したまま放置されている担架も多く存在し、損傷がないかを確認するだけでも時間を必要とし、緊急時に用を足さない懸念があった。
これに対して特許文献１のように、テーブルに担架として使用するのに必要な紐類を予め装備しておくことや特許文献２に示されているような、ベンチの脚を外側に倒して担架の手持ち握り部にすることなどが提案されている。
前者の場合、テーブルとして使用する際には全く不要な紐類をテーブルに装備することは、その変質や紛失等を確認するのか困難で、上記従来の問題を解決するものではなかった。
また、特許文献２に示すベンチでは、ベンチとしても担架としても使用しない場合は、コンパクトに保管することが出来ないという欠点がある。
【先行技術文献】
【特許文献】
【０００３】
【特許文献１】特開２０１５−６６２０４公報
【特許文献２】意匠登録第１３３７６０３号公報
【発明の概要】
【発明が解決しようとする課題】
【０００４】  本発明はこのような問題に鑑み、長年経過しても担架として迅速に利用できるのみならず、コンパクトにして狭い収納スペースにもより多くのテーブルを収納できるようにすることを目的とする。
【課題を解決するための手段】
【０００５】  本発明１のテーブルは、天板の四隅に脚を有するテーブルであって、前記脚が起立したテーブル姿勢と、内側に折り畳まれ天板下に収納された収納姿勢と、天板の外側に向かって折り畳まれ、前記天板の外側に握り持ち可能な長さが突出した担架姿勢との三姿勢に脚の天板に対する姿勢を変更可能にしてあるとともに、前記三姿勢それぞれの姿勢を解除可能に規制する姿勢規制構造が設けられており、当該構造において、規制解除時に取外し、規制時に取り付ける部品が三姿勢共通となるように構成されていることを特徴とする。
本発明２は、発明１のテーブルにおいて、前記脚は、前記三姿勢に変更可能に前記天板又はその補強材に兆番を介して一体連結されていることを特徴とする。
本発明３は、発明１のテーブルにおいて、前記三姿勢それぞれにおける脚の基部が抜き挿しできる差込口を有するソケットが天板に固定されていることを特徴とする。
本発明４は、発明１から３のいずれかのテーブルにおいて、前記姿勢規制構造が、前記脚又はこれと一体化された部品の内、三姿勢の変化に伴い互いに間隔が変化する２箇所以上をそれぞれの姿勢において連結する規制梁と連結状態を解除可能に維持する三姿勢共通の連結具とにより構成されていることを特徴とする。
【発明の効果】
【０００６】  発明１とすることで、日常的なテーブル使用と脚をコンパクトに折り畳んで最小化した収納姿勢に用いる部品を用いて担架姿勢にすることができるので、日常的な使用により用いる部品の損傷や欠損を発見することができるようになるから、長期間経過したとしても担架姿勢にして用いるのが容易確実となった。
また、発明２により、三姿勢の変更を可能にしながら、脚と天板とが常に一体化していて主要部品の紛失を予防することが出来た。
発明３では、天板と脚が別体となるが、しかし、三姿勢に固定する規制構造は、三姿勢で共通しているので、規制構造（具体的にはボルト等）となる小部品の紛失による問題を完全に排除し、三姿勢いずれからの変形を長時間にわたり確実に行えるようになる。
発明４のように姿勢規制構造を構成することで、最小限１本の連結梁と二個の連結具（具体的にはボルト）を用いることで、三姿勢に変更しその姿勢を御維持することができ、姿勢変更の作業が容易であるのみならず、主要部品の保管の必要もないなどの利点がある。
【図面の簡単な説明】
【０００７】
【図１】本発明の実施例１のテーブル姿勢を示す一部切欠き拡大正面図。
【図２】本発明の実施例１のテーブル姿勢を示す一部切欠き図面で、［Ａ］は底面図、［Ｂ］は右側面図。
【図３】本発明の実施例１の担架姿勢を示す一部切欠き正面図。
【図４】本発明の実施例１の担架姿勢を示す一部切欠き底面図。
【図５】本発明の実施例１の担架姿勢を示す一部切欠き右側面図。
【図６】本発明の実施例１の収納姿勢を示す一部切欠き正面図。
【図７】本発明の実施例１の収納姿勢を示す一部切欠き図面で、［Ａ］は底面図、［Ｂ］は右側面図。
【図８】本発明の実施例２の要部を示す一部切欠き正面図。
【図９】本発明の実施例３の要部であるソケットを示す一部切欠き拡大図面で、［Ａ］は正面図、［Ｂ］は底面図、［Ｃ］は右側面図。
【図１０】本発明の実施例４の脚の要部を示す拡大横断底面図。
【発明を実施するための形態】
【０００８】  以下に示す実施例では、主要部品の材質を木材として説明するが、ジュラルミン等の軽金属、薄鋼板或はプラスチック材などによるものとすることに何らの困難性を有するものではない。又、実施例で示す金属製部品は、鋼鉄製を前提として説明するが、強度が十分であればプラスチック製或はセラミックス製でも可能である。
【実施例１】
【０００９】  本実施例は、図１から図７に示すもので、以下にこれら図面を参照して説明する。
短冊状（長さ１８０ｃｍ程度、幅６０ｃｍ程度）の木製天板（１）は、その下面に長手方向に沿って二本の補強梁（２ａ）（２ｂ）（以下、補強梁を総称する場合は（２）と記す。）が固定してある。
この補強梁の両端部には、二つ折り兆番（３ａ）（３ｂ）（３ｃ）（３ｄ）を介して脚（５ａ）（５ｂ）（５ｃ）（５ｄ）（以下脚を総称する場合は（５）と記す。）の上端部が一体連結してある。
前記補強梁（２）と脚（５）とは、同じ大きさの角材を用いて構成されており、前記脚（５）はの下半部は円柱状に成形してあり、握り持ち部（Ｈ）としても違和感のないようにしてある。
天板（１）の長手方向の一端側にある前記脚（５ａ）と（５ｂ）は連結梁（６ａ）により、他端側にある（５ｃ）と（５ｄ）とは連結梁（６ｂ）により、それぞれ一体的に連結されている。
この連結梁（６）（以下、連結梁（６ａ）（６ｂ）を総称する場合は（６）と記す。）は前記補強梁（２）と同様の角材で構成されている。そして、その長手方向中央には、テーブル姿勢（図１、図２、姿勢番号ｉｉ）において、下側に開口するメネジ（Ｓ２）、図１中左右外側に開口するメネジ（Ｓ１）そして、同内側に開口するメネジ（Ｓ３）とがそれぞれに設けてある。【００１０】  このメネジ（Ｓ１）から（Ｓ３）は、三姿勢を規制する規制構造の一部である。
前記補強梁（２）と同様の角材で構成された規制梁（７）は、前記連結梁（６）の下半分を嵌め込める凹部（８ａ）（８ｂ）（８ｃ）（８ｄ）（８ｅ）（８ｆ）が形成されている。そして、凹部（８）（以下、凹部（８ａ）（８ｂ）（８ｃ）（８ｄ）（８ｅ）（８ｆ）を総称する場合は（８）と記す。）それぞれの底部には、１個の貫通孔（９ａ）（９ｂ）（９ｃ）（９ｄ）（９ｅ）（９ｆ）が設けてある。
この貫通孔（９）（以下、貫通孔（９ａ）（９ｂ）（９ｃ）（９ｄ）（９ｅ）（９ｆ）を総称する場合は（９）と記す。）は、連結梁（６）が凹部（８）に嵌め込まれた状態で、下方から挿入される締付けボルト（Ｂ２）（Ｂ５）を通過させ、メネジ（Ｓ１）（Ｓ２）（Ｓ３）の内、三姿勢により下方に向いたものに挿入してネジ止めするようにしてある。【００１１】  このようにして、前記規制梁（７）の凹部（８ａ）と（８ｆ）に連結梁（６）を嵌め込み、メネジ（Ｓ３）に締付けボルト（Ｂ２）（Ｂ５）をねじ込むことで、脚（５）の下半分（Ｈ）を外側に張り出した担架姿勢にすることができた。（図３、図４、図５参照）
また、前記規制梁（７）の凹部（８ｂ）と（８ｅ）に連結梁（６）を嵌め込み、メネジ（Ｓ２）に締付けボルト（Ｂ２）（Ｂ５）をねじ込むことで、脚（５）を起立させたテーブル姿勢とすることができた。（図１、図２参照）
そして、前記規制梁（７）の凹部（８ｃ）と（８ｄ）に連結梁（６）を嵌め込み、メネジ（Ｓ１）に締付けボルト（Ｂ２）（Ｂ５）をねじ込むことで、脚（５）を天板（１）と平行に折り畳んで天板（１）の下方に収納した収納姿勢とすることができた。（図６、図７参照）
なお、脚（５）の上半部の中央付近には、外側を挿入口とするメネジ孔（Ｓ４）がそれぞれに設けてある。
また、天板（１）の外周近傍で脚（５）の外側に位置する箇所に補強板（４ａ）（４ｂ）（４ｃ）（４ｄ）がそれぞれ天板に固定して設けてある。
当該補強板（４）（以下、補強板（４ａ）（４ｂ）（４ｃ）（４ｄ）を総称する場合は（４）と記す。）には、それぞれ、テーブル姿勢のときに前記メネジ孔（Ｓ４）に対向する箇所に貫通孔（Ｃ１）（Ｃ２）（Ｃ３）（Ｃ４）が設けてある。【００１２】  前記メネジ（Ｓ４）にねじ込み可能な締付けボルト（Ｂ１）（Ｂ３）（Ｂ４）（Ｂ６）を、これら貫通孔を通して前記メネジ孔（Ｓ４）にねじ込む事で、テーブル姿勢における脚（５）の起立強度を増し、使用時の外力にの脚（５）がぐらつかない様にしてある。
以上のようにして、規制梁（７）、凹部（８）、連結梁（６）、メネジ（Ｓ１）（Ｓ２）（Ｓ３）及び締付けボルト（Ｂ２）（Ｂ５）よりなる規制構造により、収納姿勢、テーブル姿勢及び担架姿勢に変更し、テーブルとしての使用のみならず、緊急時の担架としても十分機能を果たしえるようになった。また、いずれにも利用しない場合は、脚（５）天板（１）の下に折り畳んだコンパクトな姿勢にして収納できるようになった。
なお前記補強板（４）の下端は、担架姿勢に置いて補助脚としての機能を果たすことが出来、担架を床面などに置いたとき、不用意に転倒しないように天板を支えることが出来る。【００１３】  前記規制梁（７）の前記凹部（８）の深さは、必ずしも前記連結梁（６）の太さの半分とする必要はなく、これら強度に基づき、適宜深さとすることができる。場合によっては凹部（８）を設けずに、貫通孔（９）のみにより、ボルト（Ｂ２）（Ｂ５）を貫通させることで、規制梁（７）と連結梁（６）との相対移動を規制できるようにすることも可能である。
なおこの場合は、規制梁（７）をジュラルミン製のチャンネル材を形成した棒材を用いるのが好ましい。
【実施例２】
【００１４】  前記実施例１では、外力により最も破損しやすいのはテーブル姿勢の時であるとして補強板（４）には、一個の貫通孔（Ｃｉｉ）（以下、貫通孔（Ｃ１）（Ｃ２）（Ｃ３）（Ｃ４）を総称するときは（Ｃｉｉ）と記す。）のみとしていた。
しかし、長期使用、保管の後に緊急事態が発生したことを想定した場合は、担架姿勢、収納姿勢における外力の影響をも考慮に入れるべきと考えた。よって、図８に示すように、補強板（４）を担架姿勢、収納姿勢においてメネジ孔（Ｓ４）に対向する箇所にまで延長し、当該箇所に貫通孔（Ｃｉ）（Ｃｉｉｉ）を追加した。
これにより、規制構造のみならず、補強板（４）と脚（５）との直接連結によって姿勢が維持されることとなる。
また、三姿勢のいずれの場合にも、ボルト（Ｂ１）から（Ｂ６）を使用することとなるので、姿勢変更に伴い一部のボルトが不要となるような事態が生じず、それを保管する必要もなくなったので、保管ボルトの紛失による他姿勢への変更不能や管理の手間を招くことがなく、より一層長期の使用が簡単になった。
【実施例３】
【００１５】  本実施例は、規制構造は実施例１と同様であるが、脚（５）の取付けを兆番（３）ではなく差し込み式にした。（図９参照）
具体的には、四個の差込口（１１１）（１１２）（１１３）（１１４）を有する鉄製のソケット（１０ａ）（１０ｂ）（１０ｃ）（１０ｄ）を前記補強梁（２ａ）（２ｂ）の両端位置に固定してある。
なお、当該ソケットは、側面視、及び正面視において左右に配されるものは左右対照形状となる。よって、ソケット（１０ａ）と（１０ｃ）、ソケット（１０ｂ）と（１０ｄ）は同形状であるが、ソケット（１０ａ）（１０ｃ）と、ソケット（１０ａ）（１０ｃ）つは左右対照な形状にしてある。
各ソケット（１０）（以下、ソケット（１０ａ）（１０ｂ）（１０ｃ）（１０ｄ）を総称するときは（１０）と記す。）は、上端にて張り出したフランジ（１０１）（１０２）に設けた貫通孔を通して皿ネジにより天板（１）の裏面の所定位置に固定してある。
また、補強梁（２）の端部を差込口（１１４）に突入させた状態で、皿ネジにより固定してある。このようにして、ソケット（１０）を天板（１）に一体化してある。
前記脚（５）を前記差込口（１１１）（１１２）（１１３）に挿入したときに、前記メネジ（Ｓ４）が対向する位置に、ボルト貫通孔（１２１）（１２２）（１２３）が設けてあり、ボルト（Ｂ１）（Ｂ３）（Ｂ４）（Ｂ６）を通して、前記メネジ（Ｓ４）にボルトをねじ込む事で、ソケット（１０）からの脚（５）の抜け出しを阻止してある。
なお、脚（５）とソケット（１０）との連結は、前記実施例１で詳しく説明した規制構造によって維持されているので、前記ボルト（Ｂ１）（Ｂ３）（Ｂ４）（Ｂ６）の作用は補助的なものである。
各姿勢におけるボルト（Ｂ１）（Ｂ３）（Ｂ４）（Ｂ６）の位置は、図中（Ｂｉ）（Ｂｉｉ）（Ｂｉｉｉ）で示しており、（Ｂｉ）は収納姿勢にとき、（Ｂｉｉ）はテーブル姿勢のとき、（Ｂｉｉｉ）は担架姿勢のときの位置を示している。
また、図中（５ｉ）（５ｉｉ）（５ｉｉｉ）は、各姿勢における脚（５）位置と姿勢を示しており、（５ｉ）は収納姿勢にとき、（５ｉｉ）はテーブル姿勢のとき、（５ｉｉｉ）は担架姿勢のときの位置を示している。
また、ソケット（１０）の高さは、規制梁（７）を二本重ねた高さに相当することから、担架姿勢にしたときは、補助脚としての機能を発揮し、安定して床面に担架をおくことができる。
【実施例４】
【００１６】  本実施例では、脚（５）と補強板（４）又はソケット（１０）の連結にボルトを不要とした例を示す。（図１０参照）
脚（５）に形成したメネジ（Ｓ４）を収納していた孔（Ｐ２）に、メネジに代わり以下のようなピン構造を収納する。
前記孔（Ｐ２）内にコイルバネ（Ｐ３）を収納し、図中左右に移動可能なピン（Ｐ）を保持した筒状ホルダー（Ｐ４）にて、ピン（Ｐ）の幅広端部で前記バネ（Ｐ３）を押えるようにして前記孔（Ｐ２）を塞ぐ。なお、前記筒状ホルダー（Ｐ４）は、外周にねじ込みフィンを有し、脚にねじ込む事で、その抜け出しを阻止してある。
このようにして、ピン（Ｐ）を前記バネ（Ｐ３）の弾性により、常に突出状態とするようにした。
脚（５）は、補助板やソケットに形成したボルト用貫通孔にピン（Ｐ）が嵌まり込むことで補強板（４）又はソケット（１０）と一体化される。
この状態を解除するには、規制構造による脚の規制を解除した状態で、ドライバーなどでピン（Ｐ）の先端を押し込みながら、脚（５）を移動させれば外れることになる。
以上のようにすることで、前記規制構造に必要な二本のボルト（Ｂ２）（Ｂ５）以外に取外す部品が不要で、姿勢変更が極めて迅速に行えるようになった。
また、姿勢変更時に天板（１）から離した部品を他の姿勢において使用することとなるので、部品に過不足が生じず、保管管理が極めて容易となる。
【符号の説明】
【００１７】（１０１）（１０２）                                  フランジ
（１１１）（１１２）（１１３）（１１４）              差込口
（１２１）（１２２）（１２３）                        ボルト貫通孔
（１）                                                天板
（１０）（１０ａ）（１０ｂ）（１０ｃ）（１０ｄ）      ソケット
（２）（２ａ）（２ｂ）                                補強梁
（３）（３ａ）（３ｂ）（３ｃ）（３ｄ）                兆番
（４）（４ａ）（４ｂ）（４ｃ）（４ｄ）                補強板
（５）（５ａ）（５ｂ）（５ｃ）（５ｄ）                脚
（５ｉ）                                              収納姿勢にときの脚位置
（５ｉｉ）                                            テーブル姿勢のとき脚位置
（５ｉｉｉ）                                          担架姿勢のときの位置
（６）（６ａ）（６ｂ）                                連結梁
（７）                                                規制梁
（８）（８ａ）（８ｂ）（８ｃ）（８ｄ）（８ｅ）（８ｆ）凹部
（９）（９ａ）（９ｂ）（９ｃ）（９ｄ）（９ｅ）（９ｆ）貫通孔
（Ｂ１）（Ｂ２）（Ｂ３）（Ｂ４）（Ｂ５）（Ｂ６）      締付けボルト
（Ｂｉ）                                              収納姿勢時のボルト位置
（Ｂｉｉ）                                            テーブル姿勢時のボルト位置
（Ｂｉｉｉ）                                          担架姿勢時のボルト位置
（Ｃ１）（Ｃ２）（Ｃ３）（Ｃ４）                      貫通孔
（Ｃｉ）                                              収納姿勢時対応ボルト貫通孔
（Ｃｉｉ）                                            テーブル姿勢時対応ボルト貫                                                      通孔
（Ｃｉｉｉ）                                          担架姿勢時対応ボルト貫通孔
（Ｈ）                                                脚の下半分（握り持ち部）
（Ｓ１）（Ｓ２）（Ｓ３）（Ｓ４）                      メネジ
（Ｐ）                                                ピン
（Ｐ２）                                              孔
（Ｐ３）                                              コイルバネ
（Ｐ４）                                              筒状ホルダー
【図１】
2019055166.tif 000003
【図２】
2019055166.tif 000004
【図３】
2019055166.tif 000005
【図４】
2019055166.tif 000006
【図５】
2019055166.tif 000007
【図６】
2019055166.tif 000008
【図７】
2019055166.tif 000009
【図８】
2019055166.tif 000010
【図９】
2019055166.tif 000011
【図１０】
2019055166.tif 000012